(57)【要約】【課題】小型化及び薄型化に有利なハプティック機能を備えたディスプレイモジュールを提供する。【解決手段】タッチ操作を感知するためのタッチスクリーンパネルと、前記タッチスクリーンパネルを通じて画像を表示するためのＬＣＤパネルと、少なくとも一つの光源を含み、前記ＬＣＤパネルに対して照明光を提供するためのバックライトユニットと、前記光源と隣接して配され、ハプティック効果を提供するためのハプティックアクチュエータと、を備えるディスプレイモジュール。【選択図】図１
2011165172.tif 000002
【特許請求の範囲】
【請求項１】
タッチ操作を感知するためのタッチスクリーンパネルと、
前記タッチスクリーンパネルを通じて画像を表示するためのＬＣＤパネルと、
少なくとも一つの光源を含み、前記ＬＣＤパネルに対して照明光を提供するためのバックライトユニットと、
前記光源と隣接して配され、ハプティック効果を提供するためのハプティックアクチュエータと、を備えるディスプレイモジュール。
【請求項２】
前記バックライトユニットは、
前記光源と対向する一側面に入光面を有し、前記入光面を通じて入射された光を前記ＬＣＤパネルの板面に向けて出光させる導光板をさらに備えることを特徴とする請求項１に記載のディスプレイモジュール。
【請求項３】
前記ハプティックアクチュエータは、前記入光面と対向する位置に配されることを特徴とする請求項２に記載のディスプレイモジュール。
【請求項４】
前記光源は、前記入光面と対向する位置に列をなして少なくとも二つ以上設けられ、
前記ハプティックアクチュエータは、前記光源の間に配されることを特徴とする請求項２に記載のディスプレイモジュール。
【請求項５】
前記ハプティックアクチュエータは、振動効果を発生させるための圧電素子を備えることを特徴とする請求項１に記載のディスプレイモジュール。
【請求項６】
前記ハプティックアクチュエータに対して駆動信号を出力するためのハプティックコントローラをさらに備えることを特徴とする請求項１に記載のディスプレイモジュール。
【請求項７】
前記ハプティックコントローラは、前記ＬＣＤパネルを駆動するためのＬＣＤドライバ内に一体に集積されていることを特徴とする請求項６に記載のディスプレイモジュール。
【請求項８】
前記ハプティックコントローラは、前記タッチスクリーンパネルを駆動するためのコントローラ内に一体に集積されていることを特徴とする請求項６に記載のディスプレイモジュール。
【請求項９】
タッチ操作を感知するためのタッチスクリーンパネルと、
前記タッチスクリーンパネルを通じて画像を表示するためのＬＣＤパネルと、
前記ＬＣＤパネルに対して照明光を提供するためのバックライトユニットと、
前記タッチスクリーンパネル、前記ＬＣＤパネル及び前記バックライトユニットを収容する内部装着空間を提供するフレームと、
前記フレームのエッジに隣接して配され、ハプティック効果を提供するためのハプティックアクチュエータと、を備えるディスプレイモジュール。
【請求項１０】
前記フレームは、相互並んで延びる長辺部及び前記長辺部の間から延びて長辺部を相互連結させる短辺部を備える四角形状であることを特徴とする請求項９に記載のディスプレイモジュール。
【請求項１１】
前記ハプティックアクチュエータは、前記長辺部に隣接して配されることを特徴とする請求項１０に記載のディスプレイモジュール。
【請求項１２】
前記短辺部に隣接して前記バックライトユニットの光源が配されることを特徴とする請求項１０に記載のディスプレイモジュール。
【請求項１３】
前記フレームは、前記タッチスクリーンパネル、前記ＬＣＤパネル及び前記バックライトユニットを介在して相互対向して配される上部フレーム及び下部フレームを備えることを特徴とする請求項９に記載のディスプレイモジュール。
【請求項１４】
前記ハプティックアクチュエータは、前記下部フレームと、前記下部フレームによって支持されるバックライトユニットとの間に配されることを特徴とする請求項１３に記載のディスプレイモジュール。
【請求項１５】
前記ハプティックアクチュエータに対して駆動信号を出力するためのハプティックコントローラをさらに備えることを特徴とする請求項９に記載のディスプレイモジュール。
【請求項１６】
前記ハプティックコントローラは、前記ＬＣＤパネルを駆動するためのＬＣＤドライバ内に一体的に集積されていることを特徴とする請求項１５に記載のディスプレイモジュール。
【請求項１７】
前記ハプティックコントローラは、前記タッチスクリーンパネルを駆動するためのコントローラ内に一体的に集積されていることを特徴とする請求項１５に記載のディスプレイモジュール。
【請求項１８】
コントローラによって駆動され、タッチ操作を感知するためのタッチスクリーンパネルと、
ＬＣＤドライバによって駆動され、前記タッチスクリーンパネルを通じて画像を表示するためのＬＣＤパネルと、
前記ＬＣＤパネルに対して照明光を提供するためのバックライトユニットと、を備え、
前記タッチスクリーンパネル及び前記ＬＣＤパネルは、その間に前記コントローラ及び前記ＬＣＤドライバを介在した状態で重畳されて配され、
前記タッチスクリーンパネルと前記ＬＣＤパネルとの間には、ハプティック効果を提供するためのハプティックアクチュエータが介在されることを特徴とするディスプレイモジュール。
【請求項１９】
前記コントローラ、前記ＬＣＤドライバ及び前記ハプティックアクチュエータのそれぞれは、前記タッチスクリーンパネルと前記ＬＣＤパネルとの間の異なる位置に配されることを特徴とする請求項１８に記載のディスプレイモジュール。
【請求項２０】
前記コントローラは、前記ＬＣＤドライバ内に一体型に集積され、
前記ハプティックアクチュエータは、前記ＬＣＤドライバに隣接して配されることを特徴とする請求項１８に記載のディスプレイモジュール。
【請求項２１】
タッチスクリーンパネルコントローラによって駆動され、タッチ操作を感知するためのタッチスクリーンパネルと、
ＬＣＤドライバによって駆動され、前記タッチスクリーンパネルを通じて画像を表示するためのＬＣＤパネルと、
前記ＬＣＤパネルに対して照明光を提供するためのバックライトユニットと、
ハプティックコントローラによって駆動され、ハプティック効果を提供するためのハプティックアクチュエータと、を備え、
前記タッチスクリーンパネルコントローラ、前記ＬＣＤドライバ及び前記ハプティックコントローラは、一つの駆動チップに集積されていることを特徴とするディスプレイモジュール。
【発明の詳細な説明】
【技術分野】
【０００１】
本発明は、ハプティック機能を備えたディスプレイモジュールに関する。
【背景技術】
【０００２】
電子デバイスの開発者を中心に、さらに良好なユーザインターフェースを提供するために多くの研究が行われている。既存のデバイスは、ユーザにフィードバックを提供するために、視覚的または聴覚的な信号を使用してきたが、最近には、ユーザインターフェースを向上させるために、ハプティック(ｈａｐｔｉｃ)と知られている触覚性フィードバックが研究されている。ハプティックとは、物体を触る時、人間のフィンガーチップで感じられる触覚性感覚であって、皮膚が物体の表面に接触して感じる触感フィードバックと関節及び筋肉の動きが妨害される時に感じられる運動感覚性フィードバックとを包括する概念である。
【発明の概要】
【発明が解決しようとする課題】
【０００３】
このようなハプティック効果を提供するためには、振動素子のようなハプティックアクチュエータを内蔵するための装着空間が確保されなければならない。特に、小型化及び薄型化が要求されるモバイル機器の場合には、ハプティックアクチュエータの装着空間が制限されるという問題がある。
【０００４】
そこで、本発明は、上記問題に鑑みてなされたものであり、本発明の目的とするところは、空間効率性が向上し、小型化及び薄型化に有利なハプティック機能を備えたディスプレイモジュールを提供することにある。
【課題を解決するための手段】
【０００５】
上記課題を解決するために、本発明のある観点によれば、タッチ操作を感知するためのタッチスクリーンパネルと、前記タッチスクリーンパネルを通じて画像を表示するためのＬＣＤパネルと、少なくとも一つの光源を含み、前記ＬＣＤパネルに対して照明光を提供するためのバックライトユニットと、前記光源と隣接して配され、ハプティック効果を提供するためのハプティックアクチュエータと、を備えるディスプレイモジュールが提供される。
【０００６】
また、前記バックライトユニットは、前記光源と対向する一側面に入光面を有し、前記入光面を通じて入射された光を前記ＬＣＤパネルの板面に向けて出光させる導光板をさらに備えることとしても良い。
【０００７】
また、前記ハプティックアクチュエータは、前記入光面と対向する位置に配されることとしても良い。
【０００８】
また、前記光源は、前記入光面と対向する位置に列をなして少なくとも二つ以上設けられ、前記ハプティックアクチュエータは、前記光源の間に配されることとしても良い。
【０００９】
また、前記ハプティックアクチュエータは、振動効果を発生させるための圧電素子を備えることとしても良い。
【００１０】
また、前記ハプティックアクチュエータに対して駆動信号を出力するためのハプティックコントローラをさらに備えることとしても良い。
【００１１】
また、前記ハプティックコントローラは、前記ＬＣＤパネルを駆動するためのＬＣＤドライバ内に一体に集積されていることとしても良い。
【００１２】
また、前記ハプティックコントローラは、前記タッチスクリーンパネルを駆動するためのコントローラ内に一体に集積されていることとしても良い。
【００１３】
また、上記課題を解決するために、本発明の別の観点によれば、タッチ操作を感知するためのタッチスクリーンパネルと、前記タッチスクリーンパネルを通じて画像を表示するためのＬＣＤパネルと、前記ＬＣＤパネルに対して照明光を提供するためのバックライトユニットと、前記タッチスクリーンパネル、前記ＬＣＤパネル及び前記バックライトユニットを収容する内部装着空間を提供するフレームと、前記フレームのエッジに隣接して配され、ハプティック効果を提供するためのハプティックアクチュエータと、を備えるディスプレイモジュールが提供される。
【００１４】
また、前記フレームは、相互並んで延びる長辺部及び前記長辺部の間から延びて長辺部を相互連結させる短辺部を備える四角形状であることとしても良い。
【００１５】
また、前記ハプティックアクチュエータは、前記長辺部に隣接して配されることとしても良い。
【００１６】
また、前記短辺部に隣接して前記バックライトユニットの光源が配されることとしても良い。
【００１７】
また、前記フレームは、前記タッチスクリーンパネル、前記ＬＣＤパネル及び前記バックライトユニットを介在して相互対向して配される上部フレーム及び下部フレームを備えることとしても良い。
【００１８】
また、前記ハプティックアクチュエータは、前記下部フレームと、前記下部フレームによって支持されるバックライトユニットとの間に配されることとしても良い。
【００１９】
また、前記ハプティックアクチュエータに対して駆動信号を出力するためのハプティックコントローラをさらに備えることとしても良い。
【００２０】
また、前記ハプティックコントローラは、前記ＬＣＤパネルを駆動するためのＬＣＤドライバ内に一体的に集積されていることとしても良い。
【００２１】
また、前記ハプティックコントローラは、前記タッチスクリーンパネルを駆動するためのコントローラ内に一体的に集積されていることとしても良い。
【００２２】
また、上記課題を解決するために、本発明の別の観点によれば、コントローラによって駆動され、タッチ操作を感知するためのタッチスクリーンパネルと、ＬＣＤドライバによって駆動され、前記タッチスクリーンパネルを通じて画像を表示するためのＬＣＤパネルと、前記ＬＣＤパネルに対して照明光を提供するためのバックライトユニットと、を備え、前記タッチスクリーンパネル及び前記ＬＣＤパネルは、その間に前記コントローラ及び前記ＬＣＤドライバを介在した状態で重畳されて配され、前記タッチスクリーンパネルと前記ＬＣＤパネルとの間には、ハプティック効果を提供するためのハプティックアクチュエータが介在されることを特徴とするディスプレイモジュールが提供される。
【００２３】
また、前記コントローラ、前記ＬＣＤドライバ及び前記ハプティックアクチュエータのそれぞれは、前記タッチスクリーンパネルと前記ＬＣＤパネルとの間の異なる位置に配されることとしても良い。
【００２４】
また、前記コントローラは、前記ＬＣＤドライバ内に一体型に集積され、前記ハプティックアクチュエータは、前記ＬＣＤドライバに隣接して配されることとしても良い。
【００２５】
また、上記課題を解決するために、本発明の別の観点によれば、タッチスクリーンパネルコントローラによって駆動され、タッチ操作を感知するためのタッチスクリーンパネルと、ＬＣＤドライバによって駆動され、前記タッチスクリーンパネルを通じて画像を表示するためのＬＣＤパネルと、前記ＬＣＤパネルに対して照明光を提供するためのバックライトユニットと、ハプティックコントローラによって駆動され、ハプティック効果を提供するためのハプティックアクチュエータと、を備え、前記タッチスクリーンパネルコントローラ、前記ＬＣＤドライバ及び前記ハプティックコントローラは、一つの駆動チップに集積されていることを特徴とするディスプレイモジュールが提供される。
【発明の効果】
【００２６】
以上説明したように本発明によれば、ハプティック効果を提供しつつも、デバイス内の残された残余空間を活用してハプティックアクチュエータを集約的に装着することによって、空間効率性が向上したディスプレイモジュールが提供される。
【図面の簡単な説明】
【００２７】
【図１】本発明の一実施形態によるディスプレイモジュールの分解斜視図である。
【図２】図１に示されたバックライトユニットを拡大して示した斜視図である。
【図３】ハプティックアクチュエータ用圧電素子の類型を示す図面である。
【図４】ハプティックアクチュエータ用圧電素子の類型を示す図面である。
【図５】本発明の他の実施形態によるディスプレイモジュールの分解斜視図である。
【図６】本発明のさらに他の実施形態によるディスプレイモジュールの分解斜視図である。
【図７】図６のＶＩＩ−ＶＩＩ線による断面図である。
【図８】本発明のさらに他の実施形態によるディスプレイモジュールの分解斜視図である。
【図９】図８のＩＸ−ＩＸ線による断面図である。
【図１０】統合コントローラの内部構造を示すブロック構成図である。
【発明を実施するための形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
図１には、本発明の望ましい一実施形態に関するハプティック機能を備えたディスプレイモジュール１００の分解斜視図が示されている。図面を参照すれば、ディスプレイモジュール１００は、タッチスクリーンパネル（ＴＳＰ：Ｔｏｕｔｃｈ
Ｓｃｒｅｅｎ Ｐａｎｅｌ）２０、ＬＣＤパネル３０、バックライトユニット４０、及びこれらの間に介在して相互結合される上下部モールドフレーム１０，６０を備える。
【００３０】
ＴＳＰ ２０は、タッチ面でユーザが接触するタッチ位置に基づいて位置信号を生成する素子であって、例えば、水平軸と垂直軸とによって相互交差する方向に延びると同時に、所定の電圧差を維持するメッシュパターンのタッチ電極２２が形成された絶縁基板２１と、ユーザのタッチ入力による電気的な接触部分を感知して、水平軸と垂直軸とに基づいた座標値でユーザのタッチ信号を生成するＴＳＰコントローラ２５と、を備える。例えば、ＴＳＰ
２０のタッチ信号に基づいてハプティックアクチュエータを駆動することによって、パルス、振動のようなハプティックセンセーションが出力される。
【００３１】
ＬＣＤパネル３０は、実質的に画像を表示する画面表示領域を有する平面表示素子であって、光が通過しつつ、所定の色が発現されるカラーフィルタ(ＣＦ：Ｃｏｌｏｒ Ｆｉｌｔｅｒ)基板３２と、マトリックス状の薄膜トランジスタ(ＴＦＴ：Ｔｈｉｎ Ｆｉｌｍ Ｔｒａｎｓｉｓｔｏｒ)及び画素電極が形成されたＴＦＴ基板３１と、ＴＦＴを駆動するためのＬＣＤドライバ３５と、を備える。また、カラーフィルタ基板３２の上面及びＴＦＴ基板３１の下面には、偏光板３３，３４が付着される。ＬＣＤパネル３０は、平面表示素子の一類型であって、本発明は、これに限定されず、任意の多様な平面表示素子が適用され、例えば、ＬＣＤパネルを代替してＯＬＥＤ（Ｏｒｇａｎｉｃ
Ｌｉｇｈｔ Ｅｍｉｔｔｉｎｇ Ｄｉｏｄｅ）パネルが適用されることもある。
【００３２】
ＬＣＤパネル３０のような受光型平面表示素子は、それ自体が発光して画像を形成する自発光型平面表示素子とは異なり、外部から光が入射して画像を形成する。したがって、このような受光型平面表示素子は、照明素子としてのバックライトユニット４０が設置される。バックライトユニット４０は、光源４４の配置形態によって、直下発光型とエッジ発光型とに分類され、エッジ発光型光源としては、通常、点形状の発光部を有する点光源または一方向に沿う線形状の発光部を有する線光源が使われうる。
【００３３】
例えば、バックライトユニット４０は、光源４４としての発光ダイオード(ＬＥＤ：Ｌｉｇｈｔ Ｅｍｉｔｔｉｎｇ Ｄｉｏｄｅ)、一側の光源４４から出射された光をＬＣＤパネル３０の板面に向けて出光させる導光板４５、導光板４５の底面を通じた光の漏れを防止するために、導光板４５の底面に配される反射シート４８、導光板４５から発生した光を拡散させるために、導光板４５の上部に配される拡散シート４１を備える。一方、導光板４５に光を提供する複数の光源４４は、回路基板４３、例えばＰＣＢ(Ｐｒｉｎｔｅｄ Ｃｉｒｃｕｉｔ Ｂｏａｒｄ)またはＦＰＣＢ(Ｆｌｅｘｉｂｌｅ ＰＣＢ)上に装着されており、光源４４を覆い包むように形成された光源ハウジング４２内に設置される。複数の光源４４間の離隔空間には、ハプティックアクチュエータ１５０が配される。例えば、ハプティックアクチュエータ１５０は、光源４４の間に位置し、光源４４が装着された回路基板４３上に共に設置されうる。
【００３４】
上下部フレーム１０，６０は、ＴＳＰ
２０、ＬＣＤパネル３０、バックライトユニット４０を支持し、これらを介在して相互対向して結合されることによって、一つのモジュール単位に結束させる。上下部フレーム１０，６０は、相互対向して組立てられることによって、ＴＳＰ
２０、ＬＣＤパネル３０、及びバックライトユニット４０を収容する内部装着空間を提供し、通常、四角形状に設けられうる。上部フレーム１０は、ＬＣＤパネル３０の画像表示面を露出させるために、中央にウィンドウ(Ｗ)が形成された四角枠形状を有し、下部フレーム６０は、バックライトユニット４０を背面で堅固に支持するために、プレートフレーム形状に形成されうる。上下部フレーム１０，６０は、ポリカーボネートなどの合成樹脂を素材として射出成形されたモールド成形品で形成されるか、またはアルミニウム薄板などのプレス加工品で形成されることもある。
【００３５】
図２は、図１のバックライトユニット４０を拡大して示した図面である。図面を参照すれば、バックライトユニット４０の光源４４としての発光ダイオードが装着された回路基板４３、例えば、ＰＣＢ（Ｐｒｉｎｔｅｄ
Ｃｉｒｃｕｉｔ Ｂｏａｒｄ）またはＦＰＣＢ（Ｆｌｅｘｉｂｌｅ ＰＣＢ）上には、ハプティックアクチュエータ１５０が設置されている。例えば、複数の光源４４が所定の離隔空間を介して一方向に沿って配列され、ハプティックアクチュエータ１５０は、光源間の離隔空間に少なくとも一つ以上複数に装着されうる。例えば、ハプティックアクチュエータ１５０は、視覚的／聴覚的な刺激以外のユーザインターフェースを提供し、バイブレーション、テクスチャ、熱のような触覚性フィードバックを提供するか、またはアクティブまたは抵抗力フィードバックのような運動感覚性フィードバックを提供する。例えば、バイブレーションを提供するためのハプティックアクチュエータ１５０として、圧電素子、ボイスコイル、ソレノイドなど、多様な駆動メカニズムを有する多様な類型のアクチュエータが適用され、図３及び図４には、ハプティックアクチュエータ用圧電素子１５０’，１５０”の類型を示す。例えば、ハプティックアクチュエータ１５０は、ＴＳＰ ２０を通じて感知されたユーザのタッチによってボタン感触を提供するクリックバイブレーションを提供するか、または特定イベントを知らせるための警報バイブレーションを提供できる。このようなバイブレーションは、ＴＳＰ
２０に垂直方向であるか、または他の方向(イン−プレイン方向)であることもある。
【００３６】
図２に示したように、バックライトユニット４０の光源４４間の無効な空間を活用してハプティックアクチュエータ１５０を設置することによって、全体装置の空間効率性を向上させ、特に、ハンドヘルドデバイスのようなモバイル機器の小型化及びコンパクト化が可能になる。それにより、小型化及び薄型化が要求されるモバイル機器に対しても、装着空間の制約を受けず、ハプティック機能の拡張適用が可能である。
【００３７】
図５は、本発明の他の実施形態によるハプティック機能を備えたディスプレイモジュール２００を示した分解斜視図である。図面を参照すれば、ディスプレイモジュール２００は、ＴＳＰ
２０、ＬＣＤパネル３０及びバックライトユニット４０が順次に積層された構造を有し、これらを介在して上下方向に対向して組立てられる上下部フレーム１０，６０を備える。
【００３８】
上下部フレーム１０，６０は、ＴＳＰ
２０、ＬＣＤパネル３０、バックライトユニット４０を支持し、これらを介在して相互対向して結合することによって、これらを一つのモジュール単位に結束させる。上下部フレーム１０，６０は、相互対向して組立てることによって、ＴＳＰ
２０、ＬＣＤパネル３０、バックライトユニット４０を収容する内部装着空間を提供する。下部フレーム６０は、相互並んで延びる長辺部６０ａと、長辺部６０ａの間から垂直に延び、これらを相互連結する短辺部６０ｂとを有する四角形のフレーム形状を有し、バックライトユニット４０を収容するための引込空間Ｇを有する。
【００３９】
下部フレーム６０上には、バックライトユニット４０が支持され、下部フレーム６０の一側エッジには、ハプティックアクチュエータ２５０が配されうる。例えば、下部フレーム６０の長辺部６０ａと隣接してハプティックアクチュエータ２５０が配され、下部フレーム６０の長辺部６０ａと導光板４５との離隔空間内にハプティックアクチュエータ２５０が配されうる。下部フレーム６０の短辺部６０ｂと隣接した位置には、バックライトユニット４０の光源４４が配されうるので、空間活用がさらに自由な下部フレーム６０の長辺部６０ａ側にハプティックアクチュエータ２５０を配しうる。
【００４０】
外観を形成する下部フレーム６０と、下部フレーム６０に収容される内部構成、例えば、バックライトユニット４０の間の無効空間を活用してハプティックアクチュエータ２５０が配されることによって、装置の全体的な空間効率性が向上し、特に、モバイル機器のように、小型化ないしコンパクト化が要求され、装着空間が制限される適用分野で、ハプティック機能が追加されつつも、これによる外形サイズの増大が抑制されうる。
【００４１】
図６は、本発明のさらに他の実施形態に関するハプティック機能を備えたディスプレイモジュール３００を示した図面である。図面を参照すれば、ディスプレイモジュール３００は、ユーザのタッチ入力を感知するためのＴＳＰ
２０、画像を表示するためのＬＣＤパネル３０、そして、ＬＣＤパネル３０の照明のためのバックライトユニット４０が順次に積層された構造を有する。ＬＣＤパネル３０は、画像表示を具現する表示領域３０Ｐと表示領域３０Ｐの周辺に形成される端子領域３０Ｃとを備える。端子領域３０Ｃには、表示領域３０Ｐを駆動するためのＬＣＤドライバ３５が装着される。ＬＣＤドライバ３５は、メインプロセッサー(図示せず)から伝達された信号を適正な形態の画像信号に変換して、表示領域３０Ｐ上に所望の画面を表示する。例えば、ＬＣＤドライバ３５は、ＦＰＣＢなどの信号中継配線３８に連結され、一端がＬＣＤドライバ３５に接続され、他端がメインプロセッサー(図示せず)に接続された信号中継配線３８を通じて両者間の信号伝達を媒介できる。
【００４２】
ＴＳＰ ２０は、ユーザのタッチ入力が可能なタッチ領域２０Ｐと、タッチ領域２０Ｐの周辺に形成される端子領域２０Ｃとを備える。端子領域２０Ｃには、タッチ領域２０Ｐからの信号を受信してタッチ信号を生成するＴＳＰコントローラ２５が装着される。例えば、タッチ領域２０Ｐは、ユーザのタッチ位置を感知するように垂直、水平方向に沿ってマトリックスパターンに配列された複数のタッチ電極２２を備え、ＬＣＤパネル３０の表示領域３０Ｐと同等な面積にわたって形成されうる。ＴＳＰコントローラ２５は、タッチ領域２０Ｐの出力信号を受信し、受信された原始データ自体をメインプロセッサー(図示せず)に伝達するか、または原始データを適正な形態の位置座標信号に変換して、これをメインプロセッサーに伝達できる。ＴＳＰコントローラ２５は、ＦＰＣＢなどの信号中継配線２８を通じてメインプロセッサー(図示せず)と連結される。一端がＴＳＰコントローラ２５に接続され、他端がメインプロセッサーに接続された信号中継配線２８は、両者間の信号伝達を媒介する。例えば、ＴＳＰコントローラ２５は、ユーザのタッチ面と反対される面に装着されうる。
【００４３】
図７には、図６のＶＩＩ−ＶＩＩ線による垂直断面図が示されている。図面を参照すれば、ＴＳＰ
２０とＬＣＤパネル３０とが相互重畳して配され、ＴＳＰコントローラ２５とＬＣＤドライバ３５とが相互対向するように、ＴＳＰ ２０とＬＣＤパネル３０とが組立てられる。この時、ＴＳＰコントローラ２５とＬＣＤドライバ３５とが相互重畳されず、交差する位置に組立てられることによって、全体モジュールの厚さＴを薄型化させうる。ＴＳＰコントローラ２５とＬＣＤドライバ３５とは、ＴＳＰ
２０とＬＣＤパネル３０との間に配され、これらと共にハプティックアクチュエータ３５０がＴＳＰ ２０とＬＣＤパネル３０との間に介在される。例えば、ハプティックアクチュエータ３５０は、ＬＣＤドライバ３５と隣接し、ＬＣＤドライバ３５を基準にＴＳＰコントローラ２５の反対側に配されうる。ＴＳＰ
２０とＬＣＤパネル３０とが相互重畳されて組立てられた構造で、これらの間に駆動回路(ＴＳＰコントローラ２５、ＬＣＤドライバ３５)を介在し、残りの残余空間内にハプティックアクチュエータ３５０まで集約的に配置することによって、モジュール全体の空間活用度を高め、小型薄型化の拘束を受けるモバイル機器にハプティック機能を付加しつつも、外形サイズの増大を抑制できる。
【００４４】
図８は、本発明のさらに他の実施形態によるディスプレイモジュールを示した斜視図であり、図９は、図８のＩＸ−ＩＸ線による断面図である。図示されたディスプレイモジュール４００を参照すれば、ＴＳＰ
２０とＬＣＤパネル３０とが相互重畳されて組立てられ、これらの間に統合コントローラ４２３が介在される。統合コントローラ４２３は、ＴＳＰ ２０の駆動を制御し、ＴＳＰ
２０の出力信号を処理するＴＳＰコントローラの機能と、適正な画像信号を出力してＬＣＤパネル３０の駆動を制御するＬＣＤドライバの機能とを兼ねる。すなわち、統合コントローラ４２３は、ＬＣＤパネル３０とＴＳＰ
２０との駆動を総括し、その入出力信号を処理する。
【００４５】
統合コントローラ４２３と隣接し、ＴＳＰ
２０とＬＣＤパネル３０との間には、ハプティックアクチュエータ４５０が介在される。例えば、ＴＳＰ ２０とＬＣＤパネル３０との間のほぼ中央位置には、統合コントローラ４２３が介在され、統合コントローラ４２３の左右両側に対をなしてハプティックアクチュエータ４５０が配されうる。ＴＳＰ
２０とＬＣＤパネル３０とが相互重畳されて配される構成で、これらの間に駆動回路(統合コントローラ４２３)を介在し、残りの残余空間内にハプティックアクチュエータ４５０を集約的に配することによって、モジュール全体の空間活用度を高め、小型薄型化の拘束を受けるモバイル機器にハプティック機能を付加しつつも、外形サイズの増大を抑制できる。
【００４６】
図１ないし図９の多様な実施形態を通じて、ハプティックアクチュエータ１５０，２５０，３５０，４５０は、ハプティックコントローラ(図示せず）の制御信号によって駆動される。ハプティックコントローラは、アクチュエータに出力される駆動信号を生成し、ＰＷＭ(Ｐｌｕｓｅ Ｗｉｄｔｈ Ｍｏｄｕｌａｔｉｏｎ)形態の駆動信号を出力できる。例えば、ハプティックコントローラは、メインプロセッサー(図示せず）の制御信号によって、ＰＷＭ駆動信号を生成でき、目標デューティ比を指示するメインプロセッサーの制御信号を受信して適正なＰＷＭ駆動信号を生成できる。そして、ハプティックアクチュエータ１５０，２５０，３５０，４５０は、ＰＷＭ駆動信号が指示する条件でバイブレーションを提供できる。例えば、ＰＷＭ駆動信号は、ハプティックアクチュエータ１５０，２５０，３５０，４５０の有する周波数及び/または振動強度を指示できる。ハプティックコントローラは、ＴＳＰ ２０の駆動を制御するＴＳＰコントローラ２５及び/またはＬＣＤパネル３０の駆動を制御するＬＣＤドライバ３５と統合された形態で構成され、ＴＳＰコントローラ２５と共に一つの駆動チップ形態に集積されるか、またはＬＣＤドライバ３５と共に一つの駆動チップ形態に集積され、ＴＳＰコントローラ２５及びＬＣＤドライバ３５と共にワンチップ（Ｏｎｅ
ｃｈｉｐ）形態に統合されうる。
【００４７】
図１０は、統合コントローラ５５０の内部構造を示すブロック構成図である。図面を参照すれば、統合コントローラ５５０は、ＴＳＰの入力信号に基づいて、ユーザのタッチ位置を感知するための構成であって、Ｘ−Ｙ平面上で単軸方向にタッチ位置を感知するＸ軸センサー及びＹ軸センサーを備え、Ｘ軸センサー及びＹ軸センサーの出力信号を集合してタッチ信号を生成するタッチ感知部を備える。タッチ感知部は、タッチインタラプト信号ないしタッチ位置信号をメインプロセッサー(ＤＳＰ)に出力するか、または直接ハプティックコントローラに出力でき、ハプティックコントローラは、ハプティックアクチュエータに対してＰＷＭ形態の駆動信号を出力できる。
【００４８】
統合コントローラ５５０は、ＬＣＤパネルを駆動するための構成であって、メインプロセッサー(ＤＳＰ)との間で画像データの受信を媒介するインターフェースと、メインプロセッサー(ＤＳＰ)から受信された画像データによってピクセルアレイを定義するゲートライン及びデータラインを駆動するゲートライン制御部及びデータライン制御部を備える。ゲートライン制御部及びデータライン制御部は、ＬＣＤパネルのピクセルアレイに対して制御信号を出力して所定の画像を出力する。
【００４９】
例えば、ゲートライン制御部及びデータライン制御部は、メインプロセッサー(ＤＳＰ）の画像データを受信し、ＬＣＤパネル上にユーザが選択可能なメニュー項目が表示されたメニュー画面を表示できる。そして、ユーザのタッチ操作を感知したタッチ感知部は、タッチ位置に関するタッチ信号をメインプロセッサー(ＤＳＰ)に伝達することによって、タッチ位置に当たるメニュー項目を実行させる一方、ハプティックコントローラにタッチ信号を出力して、ユーザのタッチによるボタン感触を提供するクリックバイブレーションを提供できる。
【００５０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００５１】
本発明は、ディスプレイ関連の技術分野に好適に適用可能である。
【符号の説明】
【００５２】
１０    上部モールドフレーム
２０    ＴＳＰ
２１    絶縁基板
２２    タッチ電極
２５    ＴＳＰコントローラ
３０    ＬＣＤパネル
３１    ＴＦＴ基板
３２    ＣＦ基板
３３，３４    偏光板
３５    ＬＣＤドライバ
４０    バックライトユニット
４１    拡散シート
４２    光源ハウジング
【図１】
2011165172.tif 000003
【図２】
2011165172.tif 000004
【図３】
2011165172.tif 000005
【図４】
2011165172.tif 000006
【図５】
2011165172.tif 000007
【図６】
2011165172.tif 000008
【図７】
2011165172.tif 000009
【図８】
2011165172.tif 000010
【図９】
2011165172.tif 000011
【図１０】
2011165172.tif 000012